(57)【特許請求の範囲】
【請求項１】
複数回巻かれたコイルの中心に穴を有する１個のモールドコイル、
前記モールドコイルの一方の端面に配設される径方向部、前記径方向部の内径端から前記モールドコイル側に延びる磁気吸引部、前記径方向部の外径端から前記モールドコイルの外周を覆うケース、前記モールドコイルの他方の端面に配設されるプレート、前記モールドコイルの前記穴に挿入されるスリーブ、前記磁気吸引部と前記スリーブとの間に設けられ非磁性材料からなるシリンダ、及び、前記磁気吸引部及び前記スリーブの内径側に配置されるとともに一定の直径を有するプランジャを備え、
前記磁気吸引部、前記径方向部、前記ケース、前記プレート、前記スリーブ及び前記プランジャを経て前記磁気吸引部に戻る磁気回路が形成されるソレノイドであって、
非通電時と通電時とにおいて、前記プランジャと前記磁気吸引部との間及び前記プランジャと前記スリーブとの間には、それぞれ軸方向に重なる磁束受け渡し部分が形成され、
前記プランジャの両端のそれぞれの外縁部分には、軸方向に延伸された外縁延伸部が形成されることを特徴とするソレノイド。
【請求項２】
前記外縁延伸部に対向する部材には逃げ部が形成されることを特徴とする請求項１に記載のソレノイド。
【請求項３】
前記プランジャの磁気力によって移動する方向に前記外縁延伸部が形成されていることを特徴する請求項１又は２に記載のソレノイド
【発明の詳細な説明】
【技術分野】
【０００１】
本発明は、例えばショックアブソーバ等の各種油空圧制御機器用ソレノイドバルブ等に用いられるソレノイドに関するものである。
【背景技術】
【０００２】
従来、この種のソレノイドとしては、例えば、図４及び図５に示すものがある。
ソレノイド５０は、モールドコイル５１と、ソレノイド本体５２と、を一つに一体化して構成される。
モールドコイル５１は、コイル５３が巻きまわされており、そのコイル５３の中心にソレノイド本体５２側に凹む穴５４が形成されている。
また、モールドコイル５１のソレノイド本体５２と反対側では、コイル５３に隣接して環状のプレート５５が設けられており、このプレート５５の先には穴５４の底面を形成するモールド部５６が設けられている。モールド部５６内では、コイル５３から引き出されたコイル線がリード線５７へ接続されている。
一方、ソレノイド本体５２は、軸心部分にモールドコイル５１の穴５４に挿入される柱部５８と、柱部５８からモールドコイル５１配置部分を環状空間として隔ててモールドコイル５１外周を覆うケース５９と、が設けられている。
ソレノイド本体５２の柱部５８には、ケース５９と一部材で一体的に形成された磁気吸引部６０と、コイル５３への通電によって磁気吸引部６０に磁気的に吸引されるプランジャ６１と、プランジャ６１に接続されたロッド６２と、ロッド６２を支持する軸受６３と、柱部５８の先端を覆うスリーブ６４と、スリーブ６４と磁気吸引部６０との間に磁気遮断部を形成する非磁性材からなるシリンダ６５が備えられている。
磁気吸引部６０の内径側には、プラグ６６が配置され、該プラグ６６の内径側には、第２軸受６８が嵌入されている。
磁気吸引部６０は、環状の径方向部６７の内径端からモールドコイル５１側へ延びている。また、ケース５９も、環状の径方向部６７の外径端からモールドコイル５１側へ延びている。
以上の構成のソレノイド５０では、リード線５７を経てコイル５３に電流を供給することによって、図５に示すように、磁気吸引部６０、ケース５９、プレート５５、スリーブ６４、プランジャ６１、そして磁気吸引部６０に戻るような磁気回路Ｌが形成され、プランジャ６１は磁気吸引部６０に磁気的に吸引される。
なお、コイル５３に電流を供給しない場合には、不図示のバネ等によって付勢力を受けてプランジャ６１は磁気吸引部６０から、図４に示すように、離間して位置する。【０００３】
上記のようなソレノイド（以下、「従来技術１」という。例えば、特許文献１参照。）においては、要求されるソレノイド体格（サイズ）内において、必要なストロークにおける吸引力及びフラット特性が求められている。
ところが、従来技術１では、図５に示すように、プランジャ６１の引き終り状態（プランジャ６１がプラグ６６に近接している状態）の付近では、プランジャ６１とスリーブ６４の磁束受け渡し部分Ａの範囲が小さくなり、磁束を十分に受け渡すことができず、その結果、吸引力が低下し、必要なストローク全域においてフラット特性を得ることができないという問題があった。【０００４】
また、体格を大きくすることなく、ストローク変化による磁気吸引力の変動を抑制するため、可動子コアを内包する第２固定子コアの一部が挿入される穴をヨークに設け、磁気伝達部の軸方向長さを長くしたソレノイドが知られている（以下、「従来技術２」と  いう。例えば、特許文献２参照。）。
しかし、従来技術２においては、可動子コアと第２固定子コアとの２つの部材の軸方向長さをセットで大きくする必要があり、材料費及び制作費が増大する。また、可動子コアの全体を長くしているため、可動部の重量が増加し、応答性が悪化するという問題もあった。
【先行技術文献】
【特許文献】
【０００５】
【特許文献１】再公表特許  ＷＯ２００３／０５６５７９号公報
【特許文献２】特開２０１４−２７２０４号公報
【発明の概要】
【発明が解決しようとする課題】
【０００６】
本発明は、上記従来技術の有する問題点を解決するためになされたものであって、ソレノイドの体格（サイズ）を増大させることなく、必要なストローク内での要求吸引力を確保しつつ、フラット特性を得ることができるソレノイドを提供することを目的とするものである。
【課題を解決するための手段】
【０００７】
上記目的を達成するため本発明のソレノイドは、第１に、
複数回巻かれたコイルの中心に穴を有するモールドコイルと、
該モールドコイルの外周を覆うケース、前記モールドコイルの中心の穴に挿入される移動可能なプランジャ及び該プランジャが前記コイルによって発生する磁気力によって移動し吸引される方向に配置される磁気吸引部を有するソレノイド本体と、
前記磁気吸引部とエアギャップを介して対向すると共に前記プランジャに接続されるロッドの一側を支持するスリーブと、
を備え、
前記磁気吸引部、ケース、スリーブ及びプランジャを経て前記磁気吸引部に戻る磁気回路が形成されるソレノイドであって、
前記プランジャには外縁部分が軸方向に延伸された外縁延伸部が形成されること
を特徴としている。
この特徴によれば、プランジャの引き終わり付近での吸引力を増大させることができ、全体として必要な吸引力を確保でき、フラットなソレノイド特性を得ることができる。
また、プランジャの外縁部のみ延伸しているので、可動部の重量の増大も抑制でき、応答性の悪化も防止できる。【０００８】
また、本発明のソレノイドは、第２に、前記第１の特徴において、前記外縁延伸部に対向する部材には逃げ部が形成されることを特徴としている。
この特徴によれば、外縁延伸部が無い状態に比べ、ストロークの範囲を変えることなく、プランジャ引き終わり状態における磁束の受け取り範囲を大きくすることができ、ストロークの全範囲において吸引力を下げずにフラットなソレノイド特性を得ることができ、安定した駆動を得ることができる。ソレノイドの体格（サイズ）を増大することがない。  また、ソレノイドの体格（サイズ）を増大する必要がないため、材料費及び制作費の増大を抑制できる。【０００９】
また、本発明のソレノイドは、第３に、前記第１又は第２の特徴において、前記プランジャの磁気力によって移動する方向の両端に前記外縁延伸部が形成されていることを特徴としている。
この特徴によれば、プランジャの形状が移動方向に対し、対象であるため、ソレノイドを組み立てる際、プランジャの正逆の方向を気にすることなく組立てることが可能であり、組立て性が良好である。
【発明の効果】
【００１０】
本発明は、以下のような優れた効果を奏する。
（１）プランジャには外縁部分が軸方向に延伸された外縁延伸部が形成されることにより、プランジャの引き終わり付近での吸引力を増大させることができ、全体として必要な吸引力を確保でき、フラットなソレノイド特性を得ることができる。
また、プランジャの外縁部のみ延伸しているので、可動部の重量の増大も抑制でき、応答性の悪化も防止できる。【００１１】
（２）外縁延伸部に対向する部材には逃げ部が形成されることにより、外縁延伸部が無い状態に比べ、ストロークの範囲を変えることなく、プランジャ引き終わり状態における磁束の受け取り範囲を大きくすることができ、ストロークの全範囲において吸引力を下げずにフラットなソレノイド特性を得ることができ、安定した駆動を得ることができる。ソレノイドの体格（サイズ）を増大することがない。  また、ソレノイドの体格（サイズ）を増大する必要がないため、材料費及び制作費の増大を抑制できる。【００１２】
（３）プランジャの磁気力によって移動する方向の両端に前記外縁延伸部が形成されていることにより、プランジャの形状が移動方向に対し、対象であるため、ソレノイドを組み立てる際、プランジャの正逆の方向を気にすることなく組立てることが可能であり、組立て性が良好である。
【図面の簡単な説明】
【００１３】
【図１】本発明の実施例１に係るソレノイドを示す断面図であって、コイルに通電されない状態を示している。
【図２】本発明の実施例１に係るソレノイドを示す断面図であって、コイルに通電された状態を示している。
【図３】本発明の実施例１に係るソレノイドの吸引力特性を示す図である。
【図４】従来技術１のソレノイドを示す断面図であって、コイルに通電されない状態を示している。
【図５】従来技術１のソレノイドを示す断面図であって、コイルに通電された状態を示している。
【図６】従来技術１のソレノイドの吸引力特性を示す図である。
【発明を実施するための形態】
【００１４】
以下に図面を参照して、この発明を実施するための形態を、実施例に基づいて例示的に説明する。ただし、この実施例に記載されている構成部品の寸法、材質、形状、その相対的配置などは、特に明示的な記載がない限り、本発明の範囲をそれらのみに限定する趣旨のものではない。  
【実施例１】
【００１５】
図１及び図２を参照して、本発明の実施例１に係るソレノイドについて説明する。
ソレノイド１は、モールドコイル２と、ソレノイド本体３とを一体化して構成される。【００１６】
モールドコイル２は、コイル４が巻きまわされており、そのコイル４の中心にソレノイド本体３側に凹む穴５が形成されている。
また、モールドコイル２のソレノイド本体３と反対側では、コイル４に隣接して環状のプレート６が設けられており、このプレート６の先には穴５の底面を形成するモールド部７が設けられている。モールド部７内では、コイル４から引き出されたコイル線がリード線８へ接続されている。プレート６は磁性材料から形成される。【００１７】
一方、ソレノイド本体３は、軸心部分にモールドコイル２の穴５に挿入される柱部９と、柱部９からモールドコイル２の配置部分を環状空間として隔ててモールドコイル２外周を覆うケース１０と、が設けられている。【００１８】
ソレノイド本体３の柱部９には、ケース１０と一部材で一体的に形成された磁気吸引部１１と、コイル４への通電によって磁気吸引部１１に磁気的に吸引されるプランジャ１２と、プランジャ１２に接続されたロッド１３と、ロッド１３を支持する軸受１４と、柱部９の先端を覆うスリーブ１５と、スリーブ１５と磁気吸引部１１との間に磁気遮断部を形成する非磁性材からなるシリンダ１６と、が備えられている。
ケース１０、磁気吸引部１１、プランジャ１２及びスリーブ１５は、磁性材料から形成される。【００１９】
プランジャ１２は、外縁部分が軸方向に延伸された同一形状の外縁延伸部１２ａ、１２ａが両側に形成されている。ここでいう延伸とは、内径側よりも軸方向に突出している状態のことを指している。外縁延伸部１２ａの寸法及び形状は設計的に決定されるが、図１に示すプランジャ１２の場合では、プランジャ１２の直径をＤとすると、外縁延伸部１２ａの径方向の厚みｔは、約０．０５Ｄ、また、プランジャ１２の軸方向長さをＭとすると、外縁延伸部１２ａの軸方向の突出量ｍは、約０．０５Ｍに設定されている。
外縁延伸部１２ａの厚みｔ及び突出量ｍは、これらに限定されることなく、適用される製品により適宜設定される。【００２０】
磁気吸引部１１の内径側には、プランジャ１２と反対側の開口からプラグ１７が嵌入され、該プラグ１７の内径側のプランジャ１２と反対側の凹部には、第２軸受１９が嵌入されている。
磁気吸引部１１は、環状の径方向部１８の内径端からモールドコイル２側へ延びている。また、ケース１０も、環状の径方向部１８の外径端からモールドコイル２側へ延びている。【００２１】
プランジャ１２のソレノイド本体３側の端面は、プラグ１７に対向しており、また、プランジャ１２のソレノイド本体３と反対側の端面は、スリーブ１５の凹部底面１５ａと対向している。スリーブ１５のプランジャ１２の外縁延伸部１２ａに対応する凹部底面１５ａの部分には逃げ部１５ｂが形成されており、また、同じく、プラグ１７のプランジャ１２の外縁延伸部１２ａに対応する部分には逃げ部１７ａが形成されている。
なお、本実施例では、プランジャ１２の軸方向の両側には、スリーブ１５とプラグ１７とが対向するように配置されているが、これに限らず、プランジャ１２の軸方向一方側にスリーブ１５及びプラグ１７のいずれか一方が配置される場合においても、本発明は目的を達成可能であり、その場合、いずれか一方の部材に逃げ部が形成されればよい。【００２２】
以上の構成のソレノイド１では、リード線８を経てコイル４に電流を供給することによって、図２に示すように、磁気吸引部１１、ケース１０、プレート６、スリーブ１５、プランジャ１２、そして磁気吸引部１１に戻るような磁気回路Ｌが形成され、プランジャ１２は磁気吸引部１１に磁気的に吸引される。
なお、図１及び図２では、プレート６が設けられているが、ケース１０、あるいは、スリーブ１５にプレート６と同様の働きをもつ径方向部分を一体的に設けてよく、その場合プレート６は省略することができ、磁気回路Ｌは、磁気吸引部１１、ケース１０、スリーブ１５、プランジャ１２、そして磁気吸引部１１に戻るように形成される。
また、コイル４に電流を供給しない場合には、不図示のバネ等によって付勢力を受けてプランジャ１２は磁気吸引部１１から、図１に示すように、離間して位置する。【００２３】
図２に示すように、プランジャ１２の外縁部分に軸方向に延伸された外縁延伸部１２ａ、１２ａが両側に形成されることにより、コイル４に通電され、プランジャ１２が磁気吸引部１１側に引き付けられた引き終わり状態において、プランジャ１２とスリーブ１５の磁束受け渡し部分Ｂの範囲は、外縁延伸部１２ａ、１２ａが形成されない場合に比較して、外縁延伸部１２ａの突出量である約ｍだけ大きくなり、外縁延伸部１２ａ、１２ａが形成されない場合に比較してストロークは変わらないが、突出量ｍ分だけ大きい磁束受け取り範囲が得られる。このため、プランジャ１２の引き終わり付近での吸引力を増大させることができ、必要なストローク内での要求吸引力を下げることなく、全体として必要な吸引力を確保でき、フラットなソレノイド特性を得ることができる。
しかも、この場合、プランジャ１２の外縁延伸部１２ａ、１２ａに対応して、スリーブ１５及びプラグ１７には、それぞれ、逃げ部１５ｂ、１７ａが形成されているため、ソレノイドの体格（サイズ）を増大する必要がない。                                    【００２４】
次に、本発明の実施例１に係るソレノイドの吸引力特性を示す図３、及び、従来技術１のソレノイドの吸引力特性を示す図６を参照しながら、両者の吸引力特性について説明する。
図３の本発明の実施例１に係るソレノイドにおいては、プランジャ１２の引き終わり付近におけるプランジャ１２とスリーブ１５との吸引力（Ｎ）は、他のストローク部分の吸引力に比べてわずかに低下している程度に過ぎない。
これに対して、図６の従来技術１のソレノイドにおいては、プランジャの引き終わり付近におけるプランジャとスリーブとの吸引力（Ｎ）は、他のストローク部分の吸引力に比べてかなり低下している。
例えば、コイル電流が１．２Ａの場合において比較すると、実施例１に係るソレノイドの場合、プランジャ１２の引き終わり付近の吸引力は８．５Ｎであり、最大値の９．３Ｎに比較して０．８Ｎ低下しているだけであり、従来技術１のソレノイドの場合、プランジャの引き終わり付近の吸引力は７．０Ｎであり、最大値の９．７Ｎに比較して２．７Ｎ低下している。
このように、本発明の実施例１に係るソレノイドにおいては、従来技術１のソレノイドに比べて、フラットなソレノイド特性を得ることができる。【００２５】
実施例１のソレノイドは上記したような構成を有し、以下のような顕著な効果を奏する。
（１）プランジャ１２には外縁部分が軸方向に延伸された外縁延伸部１２ａが形成されることにより、プランジャ１２の引き終わり付近での吸引力を増大させることができ、全体として必要な吸引力を確保でき、フラットなソレノイド特性を得ることができる。
また、プランジャ１２の外縁部のみ延伸しているので、可動部の重量の増大も抑制でき、応答性の悪化も防止できる。
（２）外縁延伸部１２ａに対向する部材であるスリーブ１５及びプラグ１７には、それぞれ、逃げ部１５ｂ、１７ａが形成されることにより、外縁延伸部が無い状態に比べ、ストロークの範囲を変えることなく、プランジャ１２の引き終わり状態における磁束の受け取り範囲を大きくすることができ、ストロークの全範囲において吸引力を下げずにフラットなソレノイド特性を得ることができ、安定した駆動を得ることができる。ソレノイドの体格（サイズ）を増大することがない。  また、ソレノイドの体格（サイズ）を増大する必要がないため、材料費及び制作費の増大を抑制できる。
（３）プランジャ１２の磁気力によって移動する方向の両端に前記外縁延伸部１２ａ、１２ａが形成されていることにより、プランジャ１２の形状が移動方向に対し、対象であるため、ソレノイドを組み立てる際、プランジャ１２の正逆の方向を気にすることなく組立てることが可能であり、組立て性が良好である。【００２６】
以上、本発明の実施例を図面により説明してきたが、具体的な構成はこれら実施例に限られるものではなく、本発明の要旨を逸脱しない範囲における変更や追加があっても本発明に含まれる。【００２７】
例えば、前記実施例では、プランジャ１２の両側には、スリーブ１５とプラグ１７とが対向するように配置されている場合について説明したが、これに限らず、プランジャ１２の軸方向の一方側にスリーブ１５及びプラグ１７のいずれか一方が配置される場合においても、本発明は目的を達成可能であり、その場合、いずれか一方の部材に逃げ部が形成されればよい。【００２８】
また、例えば、前記実施例では、プランジャ１２の磁気力によって移動する方向の両端に外縁延伸部１２ａ、１２ａが形成される場合について説明したが、これに限らず、プランジャ１２の磁気力によって移動する方向の一方端にのみ外縁延伸部１２ａが形成されてもよい。
【符号の説明】
【００２９】
１               ソレノイド
２               モールドコイル
３               ソレノイド本体
４               コイル
５               穴
６               プレート
７               モールド部
８               リード線
９               柱部
１０             ケース
１１             磁気吸引部
１２             プランジャ
１２ａ           外縁延伸部
１３             ロッド
１４             軸受
１５             スリーブ
１５ａ           凹部底面
１５ｂ           逃げ部
１６             シリンダ
１７             プラグ
１７ａ           逃げ部
１８             環状の径方向部
１９             第２軸受
【図１】
0006518400.tif 000002
【図２】
0006518400.tif 000003
【図３】
0006518400.tif 000004
【図４】
0006518400.tif 000005
【図５】
0006518400.tif 000006
【図６】
0006518400.tif 000007